(57)【要約】  本発明の実施形態に係る乗物操作解析システムは、操作者に操作される被操作物である動物に装着可能に構成され、前記被操作物の加速度を計測して第１加速度データを出力する第１加速度センサと、前記被操作物に装着可能に構成され、前記第１加速度センサから前記第１加速度データを入力して送信する第１通信装置と、前記操作者に装着可能に構成され、前記第１通信装置から前記第１加速度データを受信して出力する第２通信装置と、前記操作者の加速度を計測して第２加速度データを出力する第２加速度センサと、前記第１加速度データ及び前記第２加速度データに基づいて前記操作者と前記被操作物の姿勢を比較する計算処理装置とを備える。
2016068001.tif 000002
【特許請求の範囲】
【請求項１】
操作者に操作される被操作物である動物に装着可能に構成され、前記被操作物の加速度を計測して第１加速度データを出力する第１加速度センサと、
前記被操作物に装着可能に構成され、前記被操作物の生体情報を計測して生体データを出力する生体センサと、
前記操作者に装着可能に構成され、前記操作者の加速度を計測して第２加速度データを出力する第２加速度センサと、
前記被操作物に装着可能に構成され、前記第１加速度センサから前記第１加速度データを入力して送信する第１通信装置と、
前記被操作物に装着可能に構成され、前記生体センサから前記生体データを入力して送信する第２通信装置と、
前記操作者に装着可能に構成され、前記第１通信装置及び前記第２通信装置から前記第１加速度データ及び前記生体データを受信して出力する第３通信装置と、
前記第１加速度データ及び前記第２加速度データに基づいて前記操作者と前記被操作物の姿勢を比較し、前記生体データに基づいて前記被操作物の状態を解析する計算処理装置と
を備えることを特徴とする乗物操作解析システム。
【請求項２】
前記第２通信装置は、前記第１通信装置と同一であり、
前記第１加速度センサ、前記生体センサ、及び第１通信装置は、前記被操作物に装着可能に構成された同一の第１操作端末に実装されている
ことを特徴とする請求項１記載の乗物操作解析システム。
【請求項３】
前記第１加速度センサ及び第１通信装置は、前記被操作物に装着可能に構成された同一の第２操作端末に実装されており、
前記生体センサ及び第２通信装置は、前記被操作物に装着可能に構成された同一の第３操作端末に実装され、前記第３操作端末は前記第２操作端末とは異なる
ことを特徴とする請求項１記載の乗物操作解析システム。
【請求項４】
前記第２加速度センサ、前記第３通信装置、及び前記計算処理装置は、前記操作者に装着可能に構成された同一の第４操作端末に実装されている
ことを特徴とする請求項１〜３のいずれか１項記載の乗物操作解析システム。
【請求項５】
前記操作者に装着可能に構成され、前記第２加速度センサから前記第２加速度データを入力して送信する第４通信装置を更に備え、
前記第３通信装置は、前記第４通信装置から前記第２加速度データを受信して前記計算処理装置に出力する
ことを特徴とする請求項１〜４のいずれか１項記載の乗物操作解析システム。
【請求項６】
前記第１加速度センサ及び前記第１通信装置を複数組備える
ことを特徴とする請求項１〜５のいずれか１項記載の乗物操作解析システム。
【請求項７】
前記操作者に装着可能に構成され、前記操作者の位置を計測して位置データを出力する衛星測位システム受信機を更に備え、
前記計算処理装置は、前記位置データに基づいて前記操作者の位置を追跡する
ことを特徴とする請求項１〜６のいずれか１項記載の乗物操作解析システム。
【請求項８】
前記操作者に装着可能に構成され、前記計算処理装置が生成した解析結果を入力してクラウドサービスのサーバに送信する第５通信装置を更に備える
ことを特徴とする請求項１〜７のいずれか１項記載の乗物操作解析システム。
【発明の詳細な説明】
【技術分野】
【０００１】
本発明は、乗物操作解析システムに関する。
【背景技術】
【０００２】
従来から、スポーツ等のトレーニングの場面において、その効果を上げるために、センサを動作者に装着させて動作状態を計測して解析する運動解析システムが導入されている。更に、近年では、活動量計とスマートフォンを組み合せた安価なシステムの登場によって、この種のシステムが一般にも広く利用させるようになった。【０００３】
しかし、これら運動解析システムは、動作者にのみセンサを装着させるものが一般的であり、この場合、動作者自身の動作のみに基づく解析しかできない。そのため、例えば、乗馬やサイクリング等、操作者が乗物（被操作物）を操作する動作については、十分に適切な解析ができない点が問題となる。
【先行技術文献】
【特許文献】
【０００４】
【特許文献１】特開２００４−３４４４６８号公報
【発明の概要】
【発明が解決しようとする課題】
【０００５】
本発明は、以上の点を鑑みてなされたもので、操作者及び被操作物の動作状態を計測することで、乗物操作に対する適切な動作解析を可能とする乗物操作解析システムを提供することを目的とする。
【課題を解決するための手段】
【０００６】
本発明の実施形態に係る乗物操作解析システムは、操作者に操作される被操作物である動物に装着可能に構成され、前記被操作物の加速度を計測して第１加速度データを出力する第１加速度センサと、前記被操作物に装着可能に構成され、前記第１加速度センサから前記第１加速度データを入力して送信する第１通信装置と、前記操作者に装着可能に構成され、前記第１通信装置から前記第１加速度データを受信して出力する第２通信装置と、前記操作者の加速度を計測して第２加速度データを出力する第２加速度センサと、前記第１加速度データ及び前記第２加速度データに基づいて前記操作者と前記被操作物の姿勢を比較する計算処理装置とを備える。
【発明の効果】
【０００７】
本発明によれば、操作者及び被操作物の動作状態を計測することで、乗物操作に対する適切な動作解析を可能とする乗物操作解析システムを提供することができる。
【図面の簡単な説明】
【０００８】
【図１】本発明の実施形態に係る乗物操作解析システムの概要を示す図である。
【図２】本実施形態に係る乗物操作解析システムの応用例を示す図である。
【図３】本実施形態に係る乗物操作解析システムの応用例を示す図である。
【図４】本実施形態に係る乗物操作解析システムの応用例を示す図である。
【図５】本実施形態に係る乗物操作解析システムの応用例を示す図である。
【図６】本実施形態に係る乗物操作解析システムの応用例を示す図である。
【図７】本実施形態に係る乗物操作解析システムの応用例を示す図である。
【発明を実施するための形態】
【０００９】
先ず、本発明の実施形態に係る乗物操作解析システムの概要を説明する。なお、以下では主に乗馬運動を前提として説明するが、本実施形態に係る乗物操作解析システムは、例えばサイクリング、バイク・自動車の運転、サーフィン、スキー等、操作者が被操作物を操作する運動であれば適用することができる点に留意されたい。
【００１０】
図１は、本実施形態に係る乗物操作解析システムの概要を示す図である。
乗物操作解析システム１００は、被操作物１０である馬に装着可能な加速度センサ１１及び通信装置１２を備える。加速度センサ１１は、馬の動作に伴う加速度データＤａ１を計測して通信装置１２に出力する。通信装置１２は、加速度センサ１１から出力された加速度データＤａ１を入力して送信する。加速度センサ１１と通信装置１２は、例えば、１つの小型のセンサ端末装置１３にパッケージ化されており馬の鞍などに装着される。
【００１１】
また、乗物操作解析システム１００は、操作者である騎手に装着可能な通信装置２１、加速度センサ２２、計算処理装置２３、及びユーザインタフェース２４を備える。通信装置２１は、通信装置１２との通信によって、通信装置１２から送信された加速度データＤａ１を受信して計算処理装置２３に出力する。ここで、通信装置１２及び２１間の通信には、Ｗｉ−Ｆｉ（登録商標）、Ｂｌｕｅｔｏｏｔｈ（登録商標）等、種々の通信規格を用いることができる。加速度センサ２２は、騎手の動作に伴う加速度データＤａ２を計測して計算処理装置２２に出力する。計算処理装置２３は、馬の加速度データＤａ１と騎手の加速度データＤａ２を収集して、これら加速度データＤａ１及びＤａ２に基づいて騎手と馬の振動・姿勢を解析して比較評価する。ユーザインタフェース２４は、ユーザによる乗物操作解析システム１００の操作と、計算処理装置２３による解析結果の閲覧を可能とする。
【００１２】
例えば、操作者にのみ加速度センサを装着する乗物操作解析システムの場合、操作者の加速度データのみを用いて動作を解析する。この場合、解析結果に操作者が被操作物から受ける影響が十分に反映されないため、操作者が被操作物の動作に合った適切な動作をしているかの判断は難しい。その点、本実施形態に係る乗物操作解析システム１００によれば、操作者のみならず被操作物に対しても加速度センサを装着して両者の振動・姿勢を解析して比較評価する。そのため、ユーザは、操作者の動作が被操作物の動作に合っているかの把握をより正確且つ容易に行うことができる。この点において、本実施形態に係る乗物操作解析システム１００は、乗馬運動のように被操作物が自律的に動作する運動の場合に特に有用である。
【００１３】
ここから、前述の乗物操作解析システム１００の応用例を列挙して説明する。
図２〜６は、本実施形態に係る乗物操作解析システムの応用例を示す図である。なお、図２〜６において、図１に示す構成に対応する構成には同じ符号を付している。
【００１４】
図２に示す乗物操作解析システム２００は、操作者２０に装着される通信装置２１、加速度センサ２２、計算処理装置２３、及びユーザインタフェース２４が、１つの操作端末装置２２１２０に実装されている例である。例えば、ユーザが、ＷｉＦｉ、Ｂｌｕｅｔｏｏｔｈ等の通信機能、加速度センサ、計算処理機能、及びタッチパネル等を用いたユーザインタフェースを持つスマートフォンを所有していれば、このスマートフォンを流用することも可能である。
【００１５】
つまり、乗物操作解析システム２００によれば、スマートフォンを持つユーザの場合、馬に装着する加速度センサ１１及び通信装置１２のみを別途用意するだけで良いため、乗物操作解析システム２００を低コストで且つ容易に導入することができる。
【００１６】
図３に示す乗物操作解析システム３００は、騎手に装着する加速度センサ２２を、計算処理装置２３等とは別の端末にした例である。乗物操作解析システム３００は、乗物操作解析システム１００の構成に加え、加速度センサ２２から出力された加速度データＤａ２を入力して通信装置２１に送信する通信装置３２１を備える。この場合、通信装置２１は、通信装置３２１から送信された加速度データＤａ２を受信した後、この加速度データＤａ２を加速度データＤａ１と共に計算処理装置２３に出力する。なお、加速度センサ２２及び通信装置３２１は、１つの小型のセンサ端末装置３２２にパッケージ化されていても良い。また、通信装置２１及び２３間の通信には、Ｗｉ−Ｆｉ、Ｂｌｕｅｔｏｏｔｈ等、種々の通信規格を用いることができる。
【００１７】
この乗物操作解析システム３００によれば、加速度センサ２２を計算処理装置２３等から分離させることで、加速度センサ２２を含む端末を小型化することができる。この場合、乗物操作解析システム２００と比べると、加速度センサ２２の装着箇所の選択範囲が広がるため、操作者２０のより正確な加速度データを得ることが可能となる。
【００１８】
図４に示す乗物操作解析システム４００は、馬に装着する加速度センサ１１及び通信装置１２を複数組備えた例である。複数の加速度センサ１１から出力される複数の加速度データＤａ１は、通信装置１２を介して通信装置２１に集約され計算処理装置２３に出力される。なお、加速度センサ１１及び通信装置１２の各組は、１つの小型のセンサ端末装置１３にパッケージ化されていても良い。また、通信装置２１及び各通信装置１２間の通信には、種々の通信規格を用いることができる。特に、Ｗｉ−Ｆｉ、Ｂｌｕｅｔｏｏｔｈ等の無線通信規格を用いた場合、センサ端末装置１３が増加しても通信装置１２及び２１間の配線の増加を設ける必要がないため、乗物操作解析システム４００を物理的に簡素にすることができる。
【００１９】
この乗物操作解析システム４００によれば、被操作物１０に対して複数の加速度センサ１１を装着できるため、乗物操作解析システム１００に比べると、より正確に被操作物２０の振動・姿勢を解析することができる。
【００２０】
図５に示す乗物操作解析システム５００は、被操作物１０及び操作者２０に対して加速度センサ１１、２２以外のセンサを装着させた例である。乗物操作解析システム５００は、乗物操作解析システム１００の構成に加え、被操作物１０である馬等の動物に装着可能に構成された生体センサ５１３と、操作者２０に装着可能に構成されたＧＰＳ受信機５２１（測位システム受信機）を備える。生体センサ５１３は、動物の生体情報、例えば、心拍数や体温などを計測して生体データＤｂとして通信装置１２に出力する。この場合、通信装置１２は、生体センサ５１３から出力された生体データＤｂを入力した後、この生体データＤｂを加速度データＤａ１と共に通信装置２１に送信する。通信装置２１は、通信装置１２から送信された加速度データＤａ１及び生体データＤｂを受信して計算処理装置２３に出力する。そして、この生体データＤｂは、加速度データＤｂ１と共に計算処理装置２３による動物の動作解析に利用できる。これによって、ユーザは、加速度データＤａ１の利用による動物２０の動作把握が可能になるだけでなく、その時の動物２０の状態も把握することが可能になる。
【００２１】
なお、ＧＰＳ受信機５２１は、操作者２０の位置を計測して位置データＤｐを計算処理装置２３に出力する。この位置データＤｐは、加速度データＤｂ２と共に計算処理装置２３による操作者２０の動作解析に利用できる。これによって、ユーザは、加速度データＤａ２の利用による操作者２０の動作把握が可能になるだけでなく、その時の操作者２０の位置を追跡することが可能となる。なお、ＧＰＳ受信機５２１に替えて、ＧＬＯＮＡＳＳやＧａｌｉｌｅｏ等、他の測位システムの受信機を用いても良い。
【００２２】
この乗物装置解析システム５００のように、加速度センサ１１、２２以外のセンサを用いることによって、被操作物１０及び操作者２０の運動時の情況等が動作に与える影響についても解析することができる。
【００２３】
なお、乗物操作解析システム５００は、生体センサ５１３が加速度センサ１１及び通信装置１２と共に１つの小型のセンサ端末装置５１４にパッケージ化されているが、図６に示す乗物操作解析システム５５０のように、生体センサ５６１及び通信装置５６２を１つの小型のセンサ端末装置５６３にパッケージ化し、加速度センサ１１を含むセンサ端末装置１３と別体にしても良い。この場合、加速度センサ１１（センサ端末装置１３）の位置に係わらず、生体センサ５６１（センサ端末装置５６３）を被操作物１０の任意の位置に装着することができる。
【００２４】
図７に示す乗物操作解析システム６００は、クラウドサービスを利用する例である。乗物操作解析システム６００は、乗物操作解析システム１００の構成に加え、計算処理装置２３で生成された解析結果Ｄｒを入力してクラウドサーバ６３０に送信する通信装置６２１を備える。この乗物操作解析システム６００の場合、計算処理装置２３で生成された解析結果がクラウドサーバ６３０に蓄積される。なお、携帯電話の通信装置６２１を使用する場合、通信装置６２１及びクラウドサーバ６３０間の通信には、Ｗ−ＣＤＭＡ、ＬＴＥ等の携帯電話の種々の通信規格を用いることができる。
【００２５】
この乗物装置解析システム６００によれば、ユーザは、解析結果のバックアップや計算処理装置２３で処理できないより高度な解析処理など様々なクラウドサービスの提供を受けることが可能になる
【００２６】
［その他］
なお、ここまで、発明の実施形態の一例を説明したが、本発明はこれらに限定されるものではなく、発明の趣旨を逸脱しない範囲内において、種々の変更、追加等が可能である。
【符号の説明】
【００２７】
１０・・・被操作物、１１、２２・・・加速度センサ、１２、２１、３２１、５６２、６２１・・・通信装置、１３、３２２、５１４、５６３・・・センサ端末装置、２０・・・操作者、２３・・・計算処理装置、２４・・・ユーザインタフェース、１００、２００、３００、４００、５５０、５００、６００・・・乗物操作解析システム、２２１、３２３・・・操作端末装置、５１３、５６１・・・生体センサ、５２１・・・ＧＰＳ受信機、６３０・・・クラウドサーバ。
【図１】
2016068001.tif 000003
【図２】
2016068001.tif 000004
【図３】
2016068001.tif 000005
【図４】
2016068001.tif 000006
【図５】
2016068001.tif 000007
【図６】
2016068001.tif 000008
【図７】
2016068001.tif 000009
【国際調査報告】
2016068001.tif 000010
2016068001.tif 000011
2016068001.tif 000012
2016068001.tif 000013